(57)【要約】【課題】省電力モードにおいて電力が供給される記憶部の記憶容量を小さくしながら、デジタル複合機の復帰回数を減らすことができる技術を提供する。【解決手段】デジタル複合機３は、ネットワークを介してＰＣ１と接続されている。デジタル複合機３は、省電力モードで動作しているとき、ＰＣ１によって格納された処理対象データの格納先情報５５を、ＰＣ１から受信する格納先情報受信部３５３と、ＰＣ１から受信した格納先情報５５を記憶する格納先情報記憶部３５４とを備える。デジタル複合機３は、省電力モードが解除されたとき、格納先情報記憶部３５４を参照して、格納先情報５５に基づいて処理対象データが格納されているネットワーク上のデータ格納部２１にアクセスし、処理対象データをネットワーク経由で取得し、取得された処理対象データに対して、所定の処理を実行する。【選択図】図１
2012147099.tif 000002
【特許請求の範囲】
【請求項１】
ネットワークを介して通信装置と接続されるデジタル複合機であって、
省電力モードで動作しているとき、前記通信装置によって格納された処理対象データの格納先情報を、前記通信装置から受信する格納先情報受信部と、
省電力モードで動作しているとき、前記通信装置から受信した前記格納先情報を記憶する格納先情報記憶部と、
省電力モードが解除されたとき、前記格納先情報記憶部を参照して、前記格納先情報に基づいて前記処理対象データが格納されているネットワーク上のデータ格納部にアクセスし、前記処理対象データをネットワーク経由で取得するデータ取得部と、
前記データ取得部により取得された前記処理対象データに対して、所定の処理を実行する処理実行部とを備え、
前記データ取得部及び前記処理実行部は、省電力モード時において、電力が供給されない、デジタル複合機。
【請求項２】
請求項１に記載のデジタル複合機であって、
前記処理対象データは、プリントデータ及び出力先を示す出力先情報を有するファックスデータのうち少なくとも一方を含み、
前記データ取得部は、前記プリントデータ及び前記ファックスデータのうち少なくとも一方を取得し、
前記処理実行部は、前記データ取得部が前記プリントデータを取得した場合、前記プリントデータのプリント出力処理を実行し、前記データ取得部が前記ファックスデータを取得した場合、前記出力先情報に基づいて、前記ファックスデータのファックス出力処理を実行する、デジタル複合機。
【請求項３】
請求項２に記載のデジタル複合機であってさらに、
前記データ取得部が複数のファックスデータを取得した場合、前記複数のファックスデータのうち、同一の出力先情報を有するファックスデータを合成することにより合成ファックスデータを作成するファックスデータ合成部を備え、
前記処理実行部は、前記同一の出力先情報に基づいて、前記合成ファックスデータのファックス出力処理を実行する、デジタル複合機。
【請求項４】
請求項２に記載のデジタル複合機であってさらに、
前記データ取得部が取得したファックスデータに複数の出力先情報が含まれている場合、前記複数の出力先情報から単一の出力先情報を抽出し、前記抽出した出力先情報を有する出力先抽出ファックスデータを作成するファックスデータ編集部を備え、
前記処理実行部は、前記抽出した出力先情報に基づいて、前記出力先抽出ファックスデータのファックス出力処理を実行する、デジタル複合機。
【請求項５】
請求項４に記載のデジタル複合機であってさらに、
前記データ取得部が複数のファックスデータを取得した場合、前記複数のファックスデータのうち、前記抽出した出力先情報と同じ出力先情報を有するファックスデータを、前記出力先抽出ファックスデータに合成することにより合成ファックスデータを作成するファックスデータ合成部を備え、
前記処理実行部は、前記抽出した出力先情報に基づいて、前記合成ファックスデータのファックス出力処理を実行する、デジタル複合機。
【請求項６】
請求項２〜５にいずれか１項に記載のデジタル複合機であって、
前記プリントデータは、前記プリントデータをプリント出力するための用紙サイズを示す用紙サイズ情報を有し、
前記処理実行部は、
前記データ取得部が複数のプリントデータを取得した場合、プリント出力することができる出力可能用紙サイズを確認し、取得した複数のプリントデータのうち前記出力可能用紙サイズに対応する用紙サイズ情報を含むプリントデータを選択し、選択されたプリントデータのプリント出力処理を実行する、デジタル複合機。
【請求項７】
請求項１〜６のいずれか１項に記載のデジタル複合機であってさらに、
省電力モードで動作しているとき、前記省電力モードが解除されるタイミングを前記通信装置に通知する復帰タイミング通知部を備える、デジタル複合機。
【請求項８】
通信装置と、
前記通信装置とネットワークを介して接続されるデジタル複合機とを備えるネットワークシステムであって、
前記通信装置は、
前記デジタル複合機が省電力モードであるか否かを確認する状態確認部と、
前記状態確認部により前記デジタル複合機が省電力モードであることが確認された場合、処理対象データを、ネットワーク上のデータ格納部に送信することにより、前記処理対象データを前記データ格納部に格納するデータ送信部と、
前記処理対象データの格納先情報を前記デジタル複合機に送信する格納先情報送信部とを含み、
前記デジタル複合機は、
省電力モードで動作しているとき、前記通信装置から前記格納先情報を受信する格納先情報受信部と、
省電力モードで動作しているとき、受信した前記格納先情報を記憶する格納先情報記憶部と、
省電力モードが解除されたとき、前記格納先情報記憶部を参照して、前記格納先情報に基づいて前記データ格納部にアクセスし、前記処理対象データをネットワーク経由で取得するデータ取得部と、
前記データ取得部により取得された前記処理対象データに対して、所定の処理を実行する処理実行部とを含み、
前記データ取得部及び前記処理実行部は、省電力モード時において、電力が供給されない、ネットワークシステム。
【発明の詳細な説明】
【技術分野】
【０００１】
本発明は、デジタル複合機に関し、さらに詳しくは、ネットワークを介して通信装置と接続され、通信装置からの指示に基づいて、処理対象データに対して所定の処理を実行するデジタル複合機に関する。
【背景技術】
【０００２】
特開２００５−３１３４８９号公報（特許文献１）には、省電力モードから復帰する回数を減らすことができ、省エネルギー効果の高い画像形成装置が記載されている。特許文献１に記載の画像形成装置は、未使用状態である場合、省電力モードに移行するとともに、プリントジョブが発生した時点で、省電力モードのままプリントデータを自機のＨＤＤに蓄積する。そして、特許文献１に記載の画像形成装置は、所定の印刷開始条件を満たした場合、省電力モードから復帰し、自機のＨＤＤに蓄積した画像データを印刷する（［００３６］、［００４０］〜［００４２］及び図８等参照）。
【０００３】
特願２００３−３３８８９４号公報（特許文献２）には、受信したデータを一台の画像形成装置に集約し、所定の時刻に一括出力することにより消費電力を節減する画像形成装置が記載されている。特許文献２に記載の画像形成装置は、自機が省電力モードに入るときに、省電力モード中における受信データ（プリントデータ）を送信する他の画像形成装置（受信側の画像形成装置）を決定し、省電力中におけるプリントデータを受信側の画像形成装置に送信する。そして、特許文献２には、受信側の画像形成装置が省電力モードである場合、受信側の画像形成装置内の記憶装置がプリントデータを記憶し、記憶されたプリントデータを所定の時間に一括出力することが記載されている（［０００９］等参照）。
【先行技術文献】
【特許文献】
【０００４】
【特許文献１】特開２００５−３１３４８９号公報
【特許文献２】特願２００３−３３８８９４号公報
【発明の概要】
【発明が解決しようとする課題】
【０００５】
特許文献１に記載の画像形成装置は、自機が省電力モードである場合、受信したプリントデータを自機のＨＤＤに記憶するので、省電力モードにおいても電力が供給され、かつ、記憶容量の大きい記憶部が必要である。
【０００６】
特許文献２には、受信側の画像形成装置が省電力モードである場合、受信側の画像形成装置内の記憶装置にプリントデータを記憶することが記載されている。したがって、特許文献２に記載の受信側の画像形成装置は、省電力モードにおいても電力が供給され、かつ、記憶容量の大きい記憶部が必要である。
【０００７】
本発明の目的は、省電力モードにおいて電力が供給される記憶部の記憶容量を小さくしながら、デジタル複合機の復帰回数を減らすことができる技術を提供することである。
【課題を解決するための手段】
【０００８】
上記課題を解決するため、請求項１記載の発明は、ネットワークを介して通信装置と接続されるデジタル複合機であって、省電力モードで動作しているとき、通信装置によって格納された処理対象データの格納先情報を、通信装置から受信する格納先情報受信部と、省電力モードで動作しているとき、通信装置から受信した格納先情報を記憶する格納先情報記憶部と、省電力モードが解除されたとき、格納先情報記憶部を参照して、格納先情報に基づいて処理対象データが格納されているネットワーク上のデータ格納部にアクセスし、処理対象データをネットワーク経由で取得するデータ取得部と、データ取得部により取得された処理対象データに対して、所定の処理を実行する処理実行部とを備え、データ取得部及び処理実行部は、省電力モード時において、電力が供給されないことを特徴とする。
【０００９】
請求項２記載の発明は、請求項１に記載のデジタル複合機であって、処理対象データは、プリントデータ及び出力先を示す出力先情報を有するファックスデータのうち少なくとも一方を含み、データ取得部は、プリントデータ及びファックスデータのうち少なくとも一方を取得し、処理実行部は、データ取得部がプリントデータを取得した場合、プリントデータのプリント出力処理を実行し、データ取得部がファックスデータを取得した場合、出力先情報に基づいて、ファックスデータのファックス出力処理を実行することを特徴とする。
【００１０】
請求項３記載の発明は、請求項２に記載のデジタル複合機であってさらに、データ取得部が複数のファックスデータを取得した場合、複数のファックスデータのうち、同一の出力先情報を有するファックスデータを合成することにより合成ファックスデータを作成するファックスデータ合成部を備え、処理実行部は、同一の出力先情報に基づいて、合成ファックスデータのファックス出力処理を実行することを特徴とする。
【００１１】
請求項４記載の発明は、請求項２に記載のデジタル複合機であってさらに、データ取得部が取得したファックスデータに複数の出力先情報が含まれている場合、複数の出力先情報から単一の出力先情報を抽出し、抽出した出力先情報を有する出力先抽出ファックスデータを作成するファックスデータ編集部を備え、処理実行部は、抽出した出力先情報に基づいて、出力先抽出ファックスデータのファックス出力処理を実行することを特徴とする。
【００１２】
請求項５記載の発明は、請求項４に記載のデジタル複合機であってさらに、データ取得部が複数のファックスデータを取得した場合、複数のファックスデータのうち、抽出した出力先情報と同じ出力先情報を有するファックスデータを、出力先抽出ファックスデータに合成することにより合成ファックスデータを作成するファックスデータ合成部を備え、処理実行部は、抽出した出力先情報に基づいて、合成ファックスデータのファックス出力処理を実行することを特徴とする。
【００１３】
請求項６記載の発明は、請求項２〜５にいずれか１項に記載のデジタル複合機であって、プリントデータは、プリントデータをプリント出力するための用紙サイズを示す用紙サイズ情報を含み、処理実行部は、データ取得部が複数のプリントデータを取得した場合、プリント出力することができる出力可能用紙サイズを確認し、取得した複数のプリントデータのうち出力可能用紙サイズに対応する用紙サイズ情報を含むプリントデータを選択し、選択されたプリントデータのプリント出力処理を実行することを特徴とする。
【００１４】
請求項７記載の発明は、請求項１〜６のいずれか１項に記載のデジタル複合機であってさらに、省電力モードで動作しているとき、省電力モードが解除されるタイミングを通信装置に通知する復帰タイミング通知部を備えることを特徴とする。
【００１５】
請求項８記載の発明は、通信装置と、通信装置とネットワークを介して接続されるデジタル複合機とを備えるネットワークシステムであって、通信装置は、デジタル複合機が省電力モードであるか否かを確認する状態確認部と、状態確認部によりデジタル複合機が省電力モードであることが確認された場合、処理対象データを、ネットワーク上のデータ格納部に送信することにより、前記処理対象データを前記データ格納部に格納するデータ送信部と、処理対象データの格納先情報をデジタル複合機に送信する格納先情報送信部とを含み、デジタル複合機は、省電力モードで動作しているとき、通信装置から格納先情報を受信する格納先情報受信部と、省電力モードで動作しているとき、受信した格納先情報を記憶する格納先情報記憶部と、省電力モードが解除されたとき、格納先情報記憶部を参照して、格納先情報に基づいてデータ格納部にアクセスし、処理対象データをネットワーク経由で取得するデータ取得部と、データ取得部により取得された処理対象データに対して、所定の処理を実行する処理実行部とを含むことを特徴とする。
【発明の効果】
【００１６】
本発明によれば、デジタル複合機は、省電力モードで動作しているとき、通信装置によって格納された処理対象データの格納先情報を、通信装置から受信し、受信した格納先情報を記憶する。デジタル複合機は、省電力モードが解除されたとき、記憶した格納先情報に基づいて処理対象データが格納されているネットワーク上のデータ格納部にアクセスし、処理対象データをネットワーク経由で取得し、取得した処理対象データに対して、所定の処理を実行する。したがって、デジタル複合機は、省電力モードで動作しているとき、処理対象データの実体を記憶するのではなく、通信装置によって格納された処理対象データの格納先情報を記憶している。格納先情報の容量は、処理対象データの実体の容量と比較すると非常に小さいため、省電力モードにおいて電力が供給される記憶部の記憶容量を小さくすることができる。また、省電力モードが解除されたときに、処理対象データを取得し、取得した処理対象データに対する所定の処理を実行するため、デジタル複合機の復帰回数を減らすことができる。
【図面の簡単な説明】
【００１７】
【図１】本実施の形態に係るデジタル複合機を含むネットワークシステムの構成図である。
【図２】図１に示したＰＣ１のプリントデータ送信処理の流れを示すフローチャートである。
【図３】図１に示したＰＣ１のファックスデータ送信処理の流れを示すフローチャートである。
【図４】図１に示したデジタル複合機の通常モード時における出力処理を示すフローチャートである。
【図５】図１に示したデジタル複合機の省電力モード時における格納先情報受信処理を示すフローチャートである。
【図６】図１に示したデジタル複合機の省電力モード解除時における出力処理を示すフローチャートである。
【図７】図６中のプリント出力処理を示すフローチャートである。
【図８】図６中のファックス出力処理を示すフローチャートである。
【発明を実施するための形態】
【００１８】
以下、図面を参照し、本発明の実施の形態を詳しく説明する。
【００１９】
［本実施の形態の構成］
図１を参照して、本実施の形態のネットワークシステムの構成を説明する。本実施の形態に係るネットワークシステムは、ＰＣ（Ｐｅｒｓｏｎａｌ  Ｃｏｍｐｕｔｅｒ）１，２と、デジタル複合機３と、ＬＡＮ（Ｌｏｃａｌ  Ａｒｅａ  Ｎｅｔｗｏｒｋ）４とを備える。
【００２０】
ＰＣ１，２は、通信装置である。ＰＣ１，２は、ＬＡＮ４を介してデジタル複合機３に接続されている。デジタル複合機３は、プリンタ機能、ファックス機能、スキャナ機能およびコピー機能などを備えた多機能装置である。ユーザは、ＰＣ１を操作して、ＬＡＮ４経由で処理対象データを送信することにより、デジタル複合機３のプリンタ機能及びファックス機能を利用することができる。処理対象データとは、プリントデータ５０及びファックスデータ５１のうち少なくとも一方のデータのことである。本実施の形態におけるプリントデータ５０及びファックスデータ５１とは、イメージデータ及びイメージデータの出力管理情報などを含むジョブデータである。したがって、１つのジョブで複数のページデータをプリント出力あるいはファックス出力する場合、プリントデータ５０あるいはファックスデータ５１には、複数のページデータが含まれる。
【００２１】
ＰＣ１は、制御部１０、操作部１１、モニタ１２、状態確認部１３、ネットワークインタフェース部１４、データ作成部１５及び送信部１６を備える。
【００２２】
制御部１０は、ＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）などを備え、ＰＣ１の全体制御を行う。操作部１１は、キーボード及びマウスなどで構成される。モニタ１２は、液晶ディスプレイなどである。
【００２３】
状態確認部１３は、デジタル複合機３が省電力モードであるか否かを確認する。具体的には、状態確認部１３は、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて、デジタル複合機３の動作状態（通常モード及び省電力モードのどちらであるか）を確認する。通常モード及び省電力モードの詳細については、後述する。
【００２４】
ネットワークインタフェース部１４は、ＬＡＮ４に接続されており、ＬＡＮ４を経由した通信を制御する。ネットワークインタフェース部１４は、たとえば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に基づいて、通信を制御する。
【００２５】
データ作成部１５は、プリントデータ作成部１５１と、ファックスデータ作成部１５２とを含む。プリントデータ作成部１５１は、ユーザの操作指示に応じて、プリントデータ５０を作成する。プリントデータ５０は、自己をプリント出力するための用紙サイズを示す用紙サイズ情報５０１を有する。例えば、用紙サイズ情報としては、Ａ４及びＢ４等の用紙の寸法が用いられる。ファックスデータ作成部１５２は、ユーザの操作指示に応じて、ファックスデータ５１を作成する。ファックスデータ５１は、自己の出力先を示す出力先情報５１１を有する。例えば、出力先情報５１１としては、ファックス番号及びメールアドレス等が用いられる。
【００２６】
送信部１６は、データ送信部１６１と、格納先情報送信部１６２とを含む。データ送信部１６１は、処理対象データ（プリントデータ５０及びファックスデータ５１のうち少なくとも一方のデータ）を送信する。具体的には、状態確認部１３によりデジタル複合機３が通常モードであることが確認された場合、データ送信部１６１は、デジタル複合機３に所定の処理を実行させるための処理対象データをデジタル複合機３に送信する。また、状態確認部１３によりデジタル複合機３が省電力モードであることが確認された場合、データ送信部１６１は、デジタル複合機３に所定の処理を実行させるための処理対象データをＬＡＮ４上のＰＣ２に送信することにより、ＰＣ２内に処理対象データを格納させる。
【００２７】
格納先情報送信部１６２は、データ送信部１６１が処理対象データをＰＣ２に送信した場合、処理対象データの格納先情報５５をデジタル複合機３に送信する。格納先情報５５とは、処理対象データの格納先（ＰＣ２）のアドレス情報及びディレクトリ情報のことである。具体的には、格納先情報送信部１６２は、処理対象データの格納先情報５５（アドレス情報及びディレクトリ情報）をデータ送信部１６１から取得する。そして、データ送信部１６１がプリントデータ５０をＰＣ２に送信した場合、格納先情報送信部１６２は、格納先情報５５に、処理対象データがプリントデータ５０であることを示す情報を含ませる。また、データ送信部１６１がファックスデータ５１をＰＣ２に送信した場合、格納先情報送信部１６２は、格納先情報５５に、処理対象データがファックスデータ５１であることを示す情報を含ませる。つまり、格納先情報送信部１６２は、処理対象データの種別を特定する情報を含む格納先情報５５をデジタル複合機３に送信する。
【００２８】
ＰＣ２は、ＬＡＮ４を介して、ＰＣ１及びデジタル複合機３に接続される。ＰＣ２は、データ格納部２１を含む。データ格納部２１は、データ送信部１６１から受信した処理対象データを格納する。
【００２９】
次に、デジタル複合機３について説明する。デジタル複合機３は、制御部３０、電力制御部３１、モニタ３２、データ受信部３３、データ記憶部３４、ネットワークインタフェース部３５、データ取得部３６、ファックスデータ合成部３７、ファックスデータ編集部３８及び処理実行部３９を備える。なお、図１において、デジタル複合機３が有するスキャナ機能及びコピー機能などに関する処理部の表示を省略している。
【００３０】
制御部３０は、ＣＰＵ及びＲＡＭなどを備え、デジタル複合機３の全体制御を行う。電力制御部３１は、デジタル複合機３の各構成要素への供給電力を、通常モード及び省電力モードに応じて制御する。モニタ３２は、液晶ディスプレイなどである。
【００３１】
データ受信部３３は、自機が通常モードで動作しているとき、ＰＣ１のデータ送信部１６１から送信された処理対象データを受信する。データ記憶部３４は、データ受信部３３が受信した処理対象データを記憶する。
【００３２】
ネットワークインタフェース部３５は、ＬＡＮ４に接続されており、ＬＡＮ４を経由した通信を制御する。ネットワークインタフェース部３５は、たとえば、ＴＣＰ／ＩＰに基づいて、通信を制御する。ネットワークインタフェース部３５は、状態応答部３５１と、復帰タイミング通知部３５２と、格納先情報受信部３５３と、格納先情報記憶部３５４とを含む。
【００３３】
状態応答部３５１は、ＰＣ１の状態確認部１３から受信したＳＮＭＰ（Ｓｉｍｐｌｅ  Ｎｅｔｗｏｒｋ  Ｍａｎａｇｅｍｅｎｔ  Ｐｒｏｔｏｃｏｌ）に対する応答処理を行う。
【００３４】
復帰タイミング通知部３５２は、自機が省電力モードで動作しているとき、省電力モードが解除されるタイミングをＰＣ１に通知する。
【００３５】
格納先情報受信部３５３は、自機が省電力モードで動作しているとき、ＰＣ１によって格納された処理対象データの格納先情報５５を、ＰＣ１の格納先情報送信部１６２から受信する。格納先情報記憶部３５４は、自機が省電力モードで動作しているとき、ＰＣ１の格納先情報送信部１６１から受信した格納先情報５５を記憶する。
【００３６】
データ取得部３６は、自機の省電力モードが解除されたとき、格納先情報記憶部３５４を参照して、格納先情報５５が記憶されているか否かを判断する。データ取得部３６は、格納先情報記憶部３５４に格納先情報５５が記憶されている場合、格納先情報５５に基づいて処理対象データが格納されているＰＣ２のデータ格納部２１にアクセスし、処理対象データをＬＡＮ４経由で取得する。データ記憶部３４は、データ取得部３６が取得した処理対象データを記憶する。
【００３７】
ファックスデータ合成部３７は、データ取得部３６が複数のファックスデータ５１を取得した場合、複数のファックスデータ５１のうち、同一の出力先情報５１１を有するファックスデータ５１を合成することにより合成ファックスデータ５１５を作成する。
【００３８】
ファックスデータ編集部３８は、データ取得部３６が取得したファックスデータ５１に複数の出力先情報５１１が含まれている場合、複数の出力先情報５１１から単一の出力先情報５１１を抽出する。そして、ファックスデータ編集部３８は、抽出した出力先情報５１１を有する出力先抽出ファックスデータ５１６を作成する。
【００３９】
処理実行部３９は、データ取得部３６により取得された処理対象データ（プリントデータ５０及びファックスデータ５１）に対して、所定の処理を実行する。処理実行部３９は、プリンタ部３９１と、ファックス部３９２とを含む。
【００４０】
プリンタ部３９１は、データ取得部３６がプリントデータ５０を取得した場合、プリントデータ５０のプリント出力処理を実行する。具体的には、プリンタ部３９１は、データ取得部３６が複数のプリントデータ５０を取得した場合、デジタル複合機３がプリント出力することができる出力可能用紙サイズを確認する。出力可能用紙サイズとは、デジタル複合機３にセットされている用紙のサイズのことである。本例では、デジタル複合機３は、複数サイズの出力可能な用紙がセットされている。デジタル複合機３は、取得した複数のプリントデータ５０のうち出力可能用紙サイズに対応する用紙サイズ情報５０１を含むプリントデータ５０を選択する。デジタル複合機３は、選択されたプリントデータ５０のプリント出力処理を優先的に実行する。
【００４１】
ファックス部３９２は、データ取得部３６がファックスデータ５１を取得した場合、ファックスデータ５１のファックス出力処理を実行する。具体的には、ファックス部３９２は、出力先情報５１１に基づいて、データ取得部３６により取得されたファックスデータ５１のファックス出力処理を実行する。ファックス部３９２は、同一の出力先情報５１１に基づいて、合成ファックスデータ５１５のファックス出力処理を実行する。ファックス部３９２は、抽出した出力先情報５１１に基づいて、出力先抽出ファックスデータ５１６のファックス出力処理を実行する。
【００４２】
｛通常モード及び省電力モード｝
次に、デジタル複合機３の動作状態について説明する。デジタル複合機３は、ユーザの使用状況に応じて、消費電力がそれぞれ異なる通常モード及び省電力モードのどちらかのモードで動作する。
【００４３】
通常モードは、デジタル複合機３全体に電力を供給するモードである。デジタル複合機３は、電力を供給する構成単位として、本体処理部、ネットワークインタフェース部３５及び処理実行部３９に分けられる。本体処理部は、制御部１０及び操作パネル（図示省略）などを含んでいる。通常モードにおいて、電力制御部３１は、本体処理部、ネットワークインタフェース部３５及び処理実行部３９に電力を供給する。
【００４４】
省電力モードでは、ネットワークインタフェース部３５だけに電力が供給される。本体処理部及び処理実行部３９には、電力が供給されない。したがって、省電力モードでは、プリント出力処理及びファックス出力処理などが実行されない。
【００４５】
たとえば、デジタル複合機１は、ユーザの指示に従って動作した後に一定期間が経過した後、通常モードから省電力モードに移行する。そして、ユーザが省電力モードの解除ボタンを押したとき及びユーザが指定した時刻になっているときなどに、デジタル複合機３は、省電力モードを解除し、通常モードに復帰する。
【００４６】
［本実施の形態の動作］
次に、図２〜図８を参照して、本実施の形態におけるネットワークシステムの動作を説明する。
【００４７】
まず、図２及び図３を参照して、ＰＣ１の動作を説明する。図２は、ＰＣ１がプリントデータ５０を送信する処理（プリントデータ送信処理）を示すフロー図である。プリントデータ送信処理は、ユーザが操作部１１を操作し、デジタル複合機３に対してプリントデータ５０の出力処理を指示することにより、開始される。
【００４８】
プリントデータ５０の送信処理が指示されると、プリントデータ５０が作成される（ステップＳ２０１）。具体的には、プリントデータ作成部１５１は、ユーザが作成したドキュメントの設定内容に基づいて、プリントデータ５０を出力するための用紙サイズを決定する。プリントデータ作成部１５１は、決定された用紙サイズを示す用紙サイズ情報５０１を含むプリントデータ５０を作成する。
【００４９】
ステップＳ２０１の処理の後、状態確認部１３が、ＳＮＭＰを用いてデジタル複合機３の動作状態を確認する（ステップＳ２０２）。具体的には、ＰＣ１の状態確認部１３がデジタル複合機３に動作状態の確認要求を送信する。デジタル複合機３において、ネットワークインタフェース部３５は、デジタル複合機３の動作状態を示す動作状態情報を保持している。状態応答部３５１は、動作状態情報に基づくＭＩＢ（Ｍａｎａｇｅｍｅｎｔ  Ｉｎｆｏｒｍａｔｉｏｎ  Ｂａｓｅ）をセットした応答情報を作成し、確認要求に対する応答として応答情報を送信する。
【００５０】
ステップＳ２０２の処理の後、状態確認部１３は、受信した応答情報に基づいてデジタル複合機３が省電力モードで動作しているか否かを判断する（ステップＳ２０３）。
【００５１】
デジタル複合機３が通常モードで動作している場合（ステップＳ２０３でＮＯ）、ステップＳ２０１の処理において作成したプリントデータ５０をデジタル複合機３のデータ受信部３３に送信する（ステップＳ２０４）。これより、ＰＣ１のプリントデータ送信処理が終了する。
【００５２】
デジタル複合機３が省電力モードである場合（ステップＳ２０３でＹＥＳ）、格納先情報送信部１６２は、ステップＳ２０１の処理において作成したプリントデータ５０をＰＣ２のデータ格納部２１に送信する（ステップＳ２０５）。このとき、格納先情報送信部１６２は、プリントデータ５０の格納先情報５５（アドレス情報及びディレクトリ情報）をデータ送信部１６１から取得する。そして、格納先情報送信部１６２は、取得した格納先情報５５に、処理対象データがプリントデータ５０であることを示す情報を含ませる。これより、格納先情報送信部１６２は、処理対象データの種別を特定する情報を含む格納先情報５５を作成する。
【００５３】
ステップＳ２０５の処理の後、格納先情報送信部１６２は、作成した格納先情報５５をデジタル複合機３の格納先情報受信部３５３に送信する（ステップＳ２０６）。これより、ＰＣ１のプリントデータ送信処理が終了する。
【００５４】
図３は、ＰＣ１がファックスデータ５１を送信する処理（ファックスデータ送信処理）を示すフロー図である。ファックスデータ送信処理は、ユーザが操作部１１を操作し、ファックスデータ５１の送信処理を指示することにより、開始される。
【００５５】
ファックスデータ５１の送信処理が指示されると、ファックスデータ５１が作成される（ステップＳ３０１）。具体的には、ユーザがファックスデータ５１の出力先を決定する。そして、ファックスデータ作成部１５２は、ユーザによって決定された出力先を示す出力先情報５１１を含むファックスデータ５１を作成する。
【００５６】
ステップＳ３０１の処理の後、ステップＳ２０２〜２０３の処理と同様にして、状態確認部１３は、デジタル複合機３の動作状態を確認する（ステップＳ３０２〜３０３）。
【００５７】
デジタル複合機３が通常モードである場合（ステップＳ３０３でＮＯ）、ステップＳ３０１の処理において作成したファックスデータ５１をデジタル複合機３のデータ受信部３３に送信する（ステップＳ３０４）。これより、ファックスデータ送信処理が終了する。
【００５８】
デジタル複合機３が省電力モードである場合（ステップＳ３０３でＹＥＳ）、格納先情報送信部１６２は、ステップＳ３０１の処理において作成したファックスデータ５１をＰＣ２のデータ格納部２１に送信する（ステップＳ３０５）。このとき、格納先情報送信部１６２は、ファックスデータ５１の格納先情報５５（アドレス情報及びディレクトリ情報）をデータ送信部１６１から取得する。そして、格納先情報送信部１６２は、取得した格納先情報５５に、処理対象データがファックスデータ５１であることを示す情報を含ませる。これより、格納先情報送信部１６２は、処理対象データの種別を特定する情報を含む格納先情報５５を作成する。
【００５９】
ステップＳ３０５の処理の後、格納先情報送信部１６２は、作成した格納先情報５５をデジタル複合機３の格納先情報受信部３５３に送信する（ステップＳ３０６）。これより、ＰＣ１のファックスデータ送信処理が終了する。
【００６０】
次に、図４〜図８を参照して、デジタル複合機３の動作を説明する。デジタル複合機３の動作は、図４に示す通常モード時における出力処理と、図５に示す省電力モード時における格納先情報受信処理と、図６に示す省電力モード解除時における出力処理とに分けられる。
【００６１】
図４に示す通常モード時における出力処理を説明する。通常モード時における出力処理は、デジタル複合機３が通常モードであるときに、常に動作している。
【００６２】
まず、データ受信部３３がプリントデータ５０を受信したか否かを判断する（ステップＳ４０１）。
【００６３】
データ受信部３３がプリントデータ５０を受信した場合（ステップＳ４０１でＹＥＳ）、プリンタ部３９１は、受信したプリントデータ５０に含まれるサイズ情報５０１が出力可能用紙サイズ（デジタル複合機３にセットされている用紙のサイズ）に含まれているか否かを判断する（ステップＳ４０２）。
【００６４】
プリントデータ５０に含まれるサイズ情報５０１が出力可能用紙サイズに含まれていない場合（ステップＳ４０２でＮＯ）、デジタル複合機３のモニタ３２は、「用紙サイズエラー」を表示する（ステップＳ４０３）。これより、ユーザは、プリントデータ５０をプリント出力することができないことを確認することができる。そして、ステップＳ４０３の処理の後、ステップＳ４０２の処理に戻る。
【００６５】
プリントデータ５０に含まれるサイズ情報５０１が出力可能用紙サイズに含まれている場合（ステップＳ４０２でＹＥＳ）、プリンタ部３９１は、デジタル複合機３にセットされている用紙にプリントデータ５０をプリント出力する（ステップＳ４０４）。これより、通常時における出力処理が終了する。なお、通常時における出力処理が終了しても、デジタル複合機３が通常モードであれば、再びステップＳ４０１の処理を実行する。
【００６６】
データ受信部３３がプリントデータ５０を受信していない場合（ステップＳ４０１でＮＯ）、データ受信部３３がファックスデータ５１を受信したか否かを判断する（ステップＳ４０５）。データ受信部３３がファックスデータ５１を受信していない場合（ステップＳ４０５でＮＯ）、ステップＳ４０１の処理に戻る。
【００６７】
データ受信部３３がファックスデータ５１を受信している場合（ステップＳ４０５でＹＥＳ）、ファックス部３９２は、ファックスデータ５１をファックス出力する（ステップＳ４０６）。具体的には、ファックスデータ５１に含まれる出力先情報５１１で示される出力先へファックスデータ５１をファックス出力する。これより、通常時における出力処理が終了する。なお、通常時における出力処理が終了しても、デジタル複合機３が通常モードであれば、再びステップＳ４０１の処理を実行する。
【００６８】
次に、図５に示す省電力モード時における格納先情報受信処理を説明する。格納先情報受信処理は、デジタル複合機３が省電力モードであるときに、常に動作している。
【００６９】
まず、格納先情報受信部３５３がＰＣ１の格納先情報送信部１６２から格納先情報５５を受信したか否かを判断する（ステップＳ５０１）。
【００７０】
格納先情報受信部３５３がＰＣ１の格納先情報送信部１６２から格納先情報５５を受信してない場合（ステップＳ５０１でＮＯ）、ステップ５０１の処理に戻る。
【００７１】
格納先情報受信部３５３がＰＣ１の格納先情報送信部１６２から格納先情報５５を受信した場合（ステップＳ５０１でＹＥＳ）、格納先情報記憶部３５４は、格納先情報受信部３５３が受信した格納先情報５５を記憶する（ステップＳ５０２）。
【００７２】
ステップＳ５０２の処理の後、復帰タイミング通知部３５２は、省電力モードが解除され、通常モードに復帰するタイミング（以下、復帰タイミングとする。）をＰＣ１に通知する（ステップＳ５０３）。具体的には、復帰タイミング通知部３５２は、ユーザにより指定された復帰タイミングを保持しており、復帰タイミングをＰＣ１に通知する。これより、省電力モード時における格納先情報受信処理が終了する。なお、省電力モード時における格納先情報受信処理が終了しても、デジタル複合機３が省電力モードであれば、再びステップＳ５０１の処理を実行する。
【００７３】
上記のステップＳ５０３の処理により、ＰＣ１のユーザは、デジタル複合機３が省電力モードである場合においても、デジタル複合機３が省電力モードから通常モードに復帰するタイミングを確認することができる。つまり、ＰＣ１のユーザは、デジタル複合機３がプリント出力処理及びファックス出力処理を開始するタイミングを確認することができる。
【００７４】
なお、上記のステップＳ５０３の処理では、復帰タイミング通知部３５２は、ユーザにより指定されたタイミングを復帰タイミングとしているが、これに限定されない。例えば、省電力モードに移行してから一定時間経過した時刻を復帰タイミングとしてもよい。
【００７５】
次に、図６に示す省電力モード解除時における出力処理を説明する。省電力モード解除時における出力処理は、デジタル複合機３が省電力モードであるとき、常に動作している。
【００７６】
まず、省電力モードが解除された否かを判断する（ステップＳ６０１）。具体的には、ユーザが省電力モードの解除ボタンを押したとき及び省電力モードに移行してから一定時間が経過しているときなどに、デジタル複合機３が省電力モードを解除し、通常モードに復帰する。
【００７７】
省電力モードが解除されている場合（ステップＳ６０１でＹＥＳ）、処理対象データがプリントデータ５０であることを示す情報を含む格納先情報５５が格納先情報記憶部３５４に記憶されているか否かを判断する（ステップＳ６０２）。
【００７８】
処理対象データがプリントデータ５０であることを示す情報を含む格納先情報５５が格納先情報記憶部３５４に記憶されている場合（ステップＳ６０２でＹＥＳ）、データ取得部３６は、データ格納部２１に格納されている全てのプリントデータ５０を取得する（ステップＳ６０３）。具体的には、格納先情報５５に基づいて、プリントデータ５０が格納されているデータ格納部２１にアクセスし、プリントデータ５０をＬＡＮ４経由で取得する。そして、データ取得部３６が取得したプリントデータ５０は、データ格納部２１から削除される。
【００７９】
ステップＳ６０３の処理の後、データ取得部３６が取得したプリントデータ５０をデータ記憶部３４に記憶する（ステップＳ６０４）。その後、プリント出力処理が実行される（ステップＳ６０５）。図７は、プリント出力処理を示すフロー図である。
【００８０】
プリンタ部３９１は、データ記憶部３４からプリントデータ５０を取得する（ステップＳ６０５Ａ）。具体的には、プリンタ部３９１は、データ記憶部３４に記憶されているプリントデータ５０のうち、プリント出力の対象となるプリントデータ（以下、出力対象プリントデータとする。）５０を決定し、データ記憶部３４からその出力対象プリントデータ５０を取得する。
【００８１】
ステップＳ６０５Ａの処理の後、プリンタ部３９１は、出力対象プリントデータ５０に含まれるサイズ情報５０１が出力可能用紙サイズ（デジタル複合機３にセットされている用紙のサイズ）に含まれているか否かを判断する（ステップＳ６０５Ｂ）。
【００８２】
出力対象プリントデータ５０に含まれるサイズ情報５０１が出力可能用紙サイズに含まれている場合（ステップＳ６０５ＢでＹＥＳ）、プリンタ部３９１は、出力対象プリントデータ５０をプリント出力する（ステップＳ６０５Ｃ）。このとき、出力対象プリントデータ５０がデータ記憶部３４から削除される。
【００８３】
出力対象プリントデータ５０に含まれるサイズ情報５０１が出力可能用紙サイズに含まれていない場合（ステップＳ６０５ＢでＮＯ）、ステップＳ６０５Ｄの処理に進む。
【００８４】
そして、データ記憶部３４に記憶されている全てのプリントデータ５０が出力対象プリントデータ５０になったか否かを判断する（ステップＳ６０５Ｄ）。
【００８５】
データ記憶部３４に記憶されている全てのプリントデータ５０が出力対象プリントデータ５０になっていない場合（ステップＳ６０５ＤでＮＯ）、データ記憶部３４に記憶されているプリントデータ５０のうち、まだ出力対象プリントデータ５０になっていないプリントデータ５０が出力対象プリントデータ５０になる。そして、その出力対象プリントデータ５０がデータ記憶部３４から取得され（ステップＳ６０５Ｅ）、ステップ６０５Ｂの処理に戻る。
【００８６】
データ記憶部３４に記憶されている全てのプリントデータ５０が出力対象プリントデータ５０になっている場合（ステップＳ６０５ＤでＹＥＳ）、プリントデータ５０がデータ記憶部３４に残っているか否かを判断する（ステップＳ６０５Ｆ）。
【００８７】
プリントデータ５０がデータ記憶部３４に残っている場合（ステップＳ６０５ＦでＹＥＳ）、デジタル複合機３のモニタ３２は、「用紙サイズエラー」を表示する（ステップＳ６０５Ｇ）。これより、ユーザは、記憶部３４に記憶されているプリントデータ５０をプリント出力することができないことを確認することができる。そして、ステップＳ６０５Ｇの処理の後、ステップＳ６０５Ａの処理に戻る。
【００８８】
プリントデータ５０がデータ記憶部３４に残っていない場合（ステップＳ６０５ＦでＮＯ）、プリント出力処理は、終了し、図６のステップＳ６０６へ進む。
【００８９】
上記のように、プリントデータ５０がプリントサイズ情報５０１を含んでいるので、プリントデータ５０が出力可能用紙サイズ（デジタル複合機３にセットされている用紙のサイズ）に含まれているか否かを容易に判断できる。
【００９０】
さらに、上記のように、プリンタ部３９１は、データ記憶部３４に記憶されている全てのプリントデータ５０のうちプリント出力することができるプリントデータ５０を選択し、選択されたプリントデータ５０をプリント出力する（ステップＳ６０５Ａ〜Ｓ６０５Ｅ）。その後、プリント出力することができないプリントデータ５０があれば、デジタル複合機３のモニタ３２が「用紙サイズエラー」を表示する（ステップＳ６０５Ｇ）。したがって、プリンタ部３９１は、プリント出力することができるプリントデータ５０を優先的にプリント出力することができる。
【００９１】
図６に戻り、ステップＳ６０５の後あるいは処理対象データがプリントデータ５０であることを示す情報を含む格納先情報５５が格納先情報記憶部３５４に記憶されていない場合（ステップＳ６０２でＮＯ）、処理対象データがファックスデータ５１であることを示す情報を含む格納先情報５５が格納先情報記憶部３５４に記憶されているか否かを判断する（ステップＳ６０６）。
【００９２】
処理対象データがファックスデータ５１であることを示す情報を含む格納先情報５５が格納先情報記憶部３５４に記憶されていない場合（ステップＳ６０６でＮＯ）、省電力モード解除時における出力処理が終了する。
【００９３】
処理対象データがファックスデータ５１であることを示す情報を含む格納先情報５５が格納先情報記憶部３５４に記憶されている場合（ステップＳ６０６でＹＥＳ）、データ取得部３６は、データ格納部２１に格納されている全てのファックスデータ５１を取得する（ステップＳ６０７）。具体的には、データ取得部３６は、格納先情報５５に基づいて、ファックスデータ５１が格納されているデータ格納部２１にアクセスし、ファックスデータ５１をＬＡＮ４経由で取得する。そして、データ取得部３６が取得したファックスデータ５１は、データ格納部２１から削除される。
【００９４】
ステップＳ６０７の処理の後、データ取得部３６が取得したファックスデータ５１をデータ記憶部３４に記憶する（ステップＳ６０８）。その後、ファックス出力処理が実行される（ステップＳ６０９）。図８は、ファックス出力処理を示すフロー図である。
【００９５】
ファックス部３９２は、データ記憶部３４からファックスデータ５１を取得する（ステップＳ６０９Ａ）。具体的には、ファックス部３９２は、データ記憶部３４に記憶されているファックスデータ５１のうち、ファックス出力の対象となるファックスデータ（以下、出力対象ファックスデータとする。）５１を決定する。ファックス部３９２は、データ記憶部３４から決定された出力対象ファックスデータ５１を取得する。
【００９６】
ステップＳ６０９Ａの処理の後、ファックスデータ編集部３８は、出力対象ファックスデータ５１に複数の出力先情報５１１が含まれているか否かを判断する（ステップＳ６０９Ｂ）。具体的には、ファックスデータ編集部３８は、出力対象ファックスデータ５１が複数の出力先へファックス出力されるか否かを判断する。
【００９７】
出力対象ファックスデータ５１に複数の出力先情報５１１が含まれていない場合（ステップＳ６０９ＢでＮＯ）、ファックスデータ合成部３７は、出力対象ファックスデータ５１が含む出力先情報５１１と同じ出力先情報５１１を含むファックスデータ５１が、データ記憶部３４に記憶されているか否かを判断する（ステップＳ６０９Ｃ）。具体的には、ファックスデータ合成部３７は、出力対象ファックスデータ５１の出力先と同一の出力先に出力されるファックスデータ５１が、データ記憶部３４に記憶されているか否かを判断する。
【００９８】
出力対象ファックスデータ５１が含む出力先情報５１１と同じ出力先情報５１１を含むファックスデータ５１が、データ記憶部３４に記憶されている場合（ステップＳ６０９ＣでＹＥＳ）、合成ファックスデータ５１５が作成される（ステップＳ６０９Ｄ）。具体的には、ファックスデータ合成部３７は、出力対象ファックスデータ５１と、出力対象ファックスデータ５１が含む出力先情報５１１と同じ出力先情報５１１を含むファックスデータ（以下、合成対象ファックスデータとする。）５１とを合成する。これより、ファックスデータ合成部３７は、出力対象ファックスデータ５１が含む出力先情報５１１と同じ出力先情報５１１を有する合成ファックスデータ５１５を作成する。そして、ファックスデータ合成部３７は、合成対象ファックスデータ５１が含む出力先情報５１１から、出力対象ファックスデータ５１が含む出力先情報５１１を削除する。このとき、ファックスデータ合成部３７は、全ての出力先情報５１１が削除された合成対象ファックスデータ５１を、データ記憶部３４から削除する。その後、ステップ６０９Ｃの処理に戻り、出力対象ファックスデータ５１が含む出力先情報５１１と同じ出力先情報５１１を含むファックスデータ５１がデータ記憶部３４に記憶されていなくなるまで、ステップ６０９Ｃ〜６０９Ｄの処理を繰り返す。
【００９９】
出力対象ファックスデータ５１が含む出力先情報５１１と同じ出力先情報５１１を含むファックスデータ５１がデータ記憶部３４に記憶されていない場合（ステップＳ６０９ＣでＮＯ）、出力対象ファックスデータ５１又は合成ファックスデータ５１５がファックス出力される（ステップＳ６０９Ｈ）。具体的には、ファックス部３９２は、出力対象ファックスデータ５１を、出力対象ファックスデータ５１が含む出力先情報５１１で示される出力先へファックス出力する。また、ファックス部３９２は、ステップＳ６０９Ｄの処理により作成された合成ファックスデータ５１５を、出力対象ファックスデータ５１が含む出力先情報５１１で示される出力先へファックス出力する。そして、出力対象ファックスデータ５１は、データ記憶部３４から削除される。その後、ステップＳ６０９Ｉの処理に進む。
【０１００】
出力対象ファックスデータ５１に複数の出力先情報５１１が含まれている場合（ステップＳ６０９ＢでＹＥＳ）、出力先抽出ファックスデータ５１６が作成される（ステップＳ６０９Ｅ）。具体的には、ファックスデータ編集部３８は、出力対象ファックスデータ５１に含まれている複数の出力先情報５１１のうち、単一の出力先情報５１１を抽出し、抽出した出力先情報５１１を有する出力先抽出ファックスデータ５１６を作成する。そして、ファックスデータ編集部３８は、出力対象ファックスデータ５１が含む複数の出力先情報５１１のうち、抽出された出力先情報５１１を削除し、ファックスデータ５１としてデータ記憶部３４に記憶する。
【０１０１】
ステップ６０９Ｅの処理の後、ファックスデータ合成部３７は、出力先抽出ファックスデータ５１６が含む出力先情報５１１と同じ出力先情報５１１を含むファックスデータ５１がデータ記憶部３４に記憶されているか否かを判断する（ステップＳ６０９Ｆ）。具体的には、ファックスデータ合成部３７は、出力先抽出ファックスデータ５１６の出力先と同一の出力先に出力されるファックスデータ５１が記憶部３４に記憶されているか否かを判断する。
【０１０２】
出力先抽出ファックスデータ５１６が含む出力先情報５１１と同じ出力先情報５１１を含むファックスデータ５１がデータ記憶部３４に記憶されている場合（ステップＳ６０９ＦでＹＥＳ）、合成ファックスデータ５１５が作成される（ステップＳ６０９Ｇ）。具体的には、ファックスデータ合成部３７が、出力先抽出ファックスデータ５１６と、出力先抽出ファックスデータ５１６が含む出力先情報５１１と同じ出力先情報５１１を含むファックスデータ（以下、合成対象ファックスデータとする。）５１とを合成する。これより、ファックスデータ合成部３７は、出力先抽出ファックスデータ５１６が含む出力先情報５１１と同じ出力先情報５１１を有する合成ファックスデータ５１５を作成する。そして、ファックスデータ合成部３７は、合成対象ファックスデータ５１が含む出力先情報５１１から、出力先抽出ファックスデータ５１が含む出力先情報５１１を削除する。このとき、ファックスデータ合成部３７は、全ての出力先情報５１１が削除された合成対象ファックスデータ５１を、データ記憶部３４から削除する。その後、ステップ６０９Ｆの処理に戻り、ステップ６０９Ｆ〜６０９Ｇの処理を繰り返す。
【０１０３】
出力先抽出ファックスデータ５１６が含む出力先情報５１１と同じ出力先情報５１１を含むファックスデータ５１がデータ記憶部３４に記憶されていない場合（ステップＳ６０９ＦでＮＯ）、出力先抽出ファックスデータ５１６又は合成ファックスデータ５１５がファックス出力される（ステップＳ６０９Ｈ）。具体的には、ファックス部３９２は、出力先抽出ファックスデータ５１６を、出力先抽出ファックスデータ５１６が含む出力先情報５１１で示される出力先へファックス出力する。また、ファックス部３９２は、ステップＳ６０９Ｇの処理により作成された合成ファックスデータ５１６を、出力先抽出ファックスデータ５１６が含む出力先情報５１１で示される出力先へファックス出力する。そして、出力対象ファックスデータ５１は、データ記憶部３４から削除される。その後、ステップＳ６０９Ｉの処理に進む。
【０１０４】
ステップＳ６０９Ｈの処理の後、ファックスデータ５１がデータ記憶部３４に残っているか否かを判断する（ステップＳ６０９Ｉ）。
【０１０５】
ファックスデータ５１がデータ記憶部３４に残っている場合（ステップＳ６０９ＩでＹＥＳ）、ファックス部３９２は、データ記憶部３４に記憶されているファックスデータ５１のうち、ファックス出力の対象となるファックスデータ（以下、出力対象ファックスデータとする。）５１を決定する。ファックス部３９２は、データ記憶部３４から決定された出力対象ファックスデータ５１を取得し（ステップＳ６０５Ｊ）、ステップ６０９Ｂの処理に戻る。
【０１０６】
ファックスデータ５１がデータ記憶部３４に残っていない場合（ステップＳ６０９ＩでＮＯ）、省電力モード解除時における出力処理が終了する。
【０１０７】
上記のようにして、出力対象ファックスデータ５１がデータ記憶部３４から削除される（ステップＳ６０９Ｈ）。また、合成対象ファックスデータ５１が含む出力先情報５１１から、出力対象ファックスデータ５１が含む出力先情報５１１が削除される（ステップＳ６０９Ｄ）。また、合成対象ファックスデータ５１が含む出力先情報５１１から、出力先抽出ファックスデータ５１が含む出力先情報５１１が削除される（ステップＳ６０９Ｇ）。また、全ての出力先情報５１１が削除されたデータ記憶部３４から合成対象ファックスデータがデータ記憶部３４から削除される（ステップＳ６０９Ｄ及びＳ６０９Ｇ）。したがって、ファックス部３９２がファックスデータ５１を重複してファックス出力することを防ぐことができる。
【０１０８】
また、本実施の形態では、ファックスデータ５１をファックス出力しながら、データ記憶部３４からファックスデータ５１の出力先と同じであるファックスデータ５１を抽出し、その抽出したファックスデータ５１を順次ファックス出力するのではなく、ファックスデータ合成部３７が、出力先が同じであるファックスデータ５１を合成することにより、合成ファックスデータ５１５を作成する（ステップＳ６０９Ｄ及びＳ６０９Ｇ）。その後、ファックスデータ合成部３７が、作成された合成ファックスデータ５１５をファックス出力する（ステップＳ６０９Ｈ）。したがって、あるファックスデータ５１のファックス出力が終了してからそのファックスデータ５１の出力先と同じであるファックスデータ５１をデータ記憶部３４から抽出するまでの待機時間をなくすことができる。
【０１０９】
また、ファックスデータ合成部３７が、出力先抽出ファックスデータ５１６と、出力先抽出ファックスデータ５１６と同じ出力先に出力されるファックスデータ５１とを合成し、その合成された合成ファックスデータ５１をファックス出力する（ステップＳ６０９Ｆ〜Ｓ６０９Ｈ）。したがって、本実施の形態におけるデジタル複合機３は、同じ出力先であるファックスデータ５１をまとめてファックス出力することができる。
【０１１０】
［本実施の形態の効果］
本発明によれば、デジタル複合機３は、省電力モードで動作しているとき、ＰＣ１によって格納された処理対象データ（プリントデータ５０及びファックスデータ５１のうち少なくとも一方のデータ）の格納先情報５５を受信し（ステップＳ５０１）、受信した格納先情報５５を記憶する（ステップＳ５０２）。デジタル複合機３は、省電力モードが解除されたとき、記憶した格納先情報５５に基づいて処理対象データが格納されているＬＡＮ４上のデータ格納部２１にアクセスし、処理対象データをネットワーク経由で取得し（ステップＳ６０３及びＳ６０７）、処理対象データに対して、所定の処理を実行する（ステップＳ６０５及びＳ６０９）。上記のように、デジタル複合機３は、省電力モードで動作しているとき、処理対象データの実体を記憶するのではなく、ＰＣ１によって格納された処理対象データの格納先情報５５を記憶している。格納先情報５５の容量は、処理対象データの実体の容量と比較すると非常に小さいため、省電力モードにおいて電力が供給される記憶部の記憶容量を小さくすることができる。また、省電力モードが解除されたときに、処理対象データを取得し、処理対象データに対する所定の処理を実行するため、デジタル複合機３の復帰回数を減らすことができる。
【０１１１】
［他の実施の形態］
本実施の形態では、格納先情報５５は、処理対象データの種別を特定する情報を含んでいるが、含んでいなくてもよい。この場合、ステップＳ６０２〜Ｓ６０３及びＳ６０６〜Ｓ６０７の処理を実行することができなくなるが、データ取得部３６がデータ格納部２１に格納されている全ての処理対象データ（プリントデータ５０及びファックスデータ５１のうち少なくとも一方のデータ）を取得してからプリントデータ５０及びファックスデータ５１のどちらであるかを判断してもよい。
【０１１２】
本実施の形態におけるネットワークシステムでは、ＬＡＮ４に１個のＰＣ１が接続されているが、複数のＰＣ１が接続されてもよい。
【０１１３】
本実施の形態では、プリント出力処理（ステップＳ６０２〜Ｓ６０５）を実行してからファックス出力処理（ステップＳ６０６〜Ｓ６０９）を実行しているが、ファックス出力処理を実行してからプリント出力処理を実行してもよい。
【０１１４】
なお、本実施の形態におけるネットワークシステムでは、ＰＣ２がデータ格納部２１を備えているが、ＰＣ１がデータ格納部を備えていてもよい。この場合、デジタル複合機３がＰＣ１のデータ格納部にアクセス可能であればよい。
【０１１５】
本実施の形態では、デジタル複合機３が格納先情報５５を受信した後、復帰タイミングをＰＣ１に通知しているが（ステップＳ５０３）、これに限定されない。例えば、デジタル複合機３が、ＰＣ１に対して定期的に復帰タイミングを通知してもよい。
【０１１６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【０１１７】
１，２  ＰＣ
３  デジタル複合機
４  ＬＡＮ
１３  状態確認部
２１  データ格納部
３６  データ取得部
３７  ファックスデータ合成部
３８  ファックスデータ編集部
３９  処理実行部
５５  格納先情報
５０  プリントデータ
５１  ファックスデータ
１６１  データ送信部
１６２  格納先情報送信部
３５２  復帰タイミング通知部
３５３  格納先情報受信部
３５４  格納先情報記憶部
５０１  用紙サイズ情報
５１１  出力先情報
５１５  合成ファックスデータ
５１６  出力先抽出ファックスデータ
【図１】
2012147099.tif 000003
【図２】
2012147099.tif 000004
【図３】
2012147099.tif 000005
【図４】
2012147099.tif 000006
【図５】
2012147099.tif 000007
【図６】
2012147099.tif 000008
【図７】
2012147099.tif 000009
【図８】
2012147099.tif 000010